(57)【要約】【課題】簡単な構造で長さの異なる蛍光ランプを取付けることができる照明器具を提供する。【解決手段】器具本体１１に設けられている一対のソケット１３ａ、１３ｂの、蛍光ランプ１４の口金１４ａに対向するソケット内側面１５ａの間隔を、器具本体１１の長さを変えることなく可変としたので、簡易な構造で、長さの異なる直管状の蛍光ランプ１４を取付けることができる。【選択図】図２
2009289456.tif 000002
【特許請求の範囲】
【請求項１】
直管状の蛍光ランプと、前記蛍光ランプを着脱自在に支持する一定長さの器具本体と、前記器具本体に設けられ前記蛍光ランプの口金を電気的に接続する一対のソケットとを備えた照明器具であって、
前記蛍光ランプの長さに応じて、前記ソケットにおいて前記口金が対向するソケット内側面の間隔を可変としたことを特徴とする照明器具。
【請求項２】
前記一対のソケットの少なくとも一方の前記ソケット内側面が、前記ソケット内において前記蛍光ランプの軸線方向に移動可能であり、かつ前記ソケット内側面が弾性部材により前記蛍光ランプの口金方向に付勢されていることを特徴とする請求項1記載の照明器具。
【請求項３】
前記一対のソケットの少なくとも一方を前記器具本体に対して着脱可能とし、前記一方のソケットの取付位置を変えて前記ソケット内側面間隔を変えることを特徴とする請求項１記載の照明器具。
【請求項４】
前記一対のソケットの少なくとも一方を前記器具本体において前記蛍光ランプの軸線方向へスライド可能として、前記ソケット内側面間隔を変えることを特徴とする請求項1記載の照明器具。
【請求項５】
前記一対のソケット内側面間隔に応じて前記蛍光ランプへの電力供給量を切替えることを特徴とする請求項1ないし請求項４のいずれかに記載の照明器具。
【発明の詳細な説明】
【技術分野】
【０００１】
本発明は、複数の長さの蛍光ランプを取付けることができる照明器具に関するものである。
【背景技術】
【０００２】
従来より、異なる種類の蛍光灯、ネオン灯、スリム管等を取付けることができる照明器具が提案されている（例えば特許文献１参照）。
図７に示すように、特許文献１に記載の照明器具１００では、光源１０１を着脱可能に保持して電力を供給する一対のソケット１０２、１０２が取付けられたシャーシ１０３を、２本の断面寸法が異なる部材１０３ａ、１０３ｂで構成している。そして、一方のシャーシ１０３ｂを他方のシャーシ１０３ａの内部に挿入することによりシャーシ１０３の全体長さを調整可能とし、ボルト等で両シャーシ１０３ａ、１０３ｂを固定する。これにより、長さの異なる蛍光灯、ネオン灯、スリム管等を取付けることができるようになっている。なお、安定器１０４等の部品は、内側に挿入されるシャーシ１０３ｂの内側に取付けられており、他方のシャーシ１０３ａと干渉しないようにしている。
【特許文献１】特開２００２−３５８８１７号公報（第１図）
【発明の開示】
【発明が解決しようとする課題】
【０００３】
しかしながら、前述した特許文献１に記載の照明器具１００においては、シャーシ１０３の長さを調整することにより、異なる長さの光源に対応しているため、構造が大掛かりになるという問題があった。また、天井等の被取付部に取付けられるシャーシ１０３の長さを変更するため、取付けられた状態では長さの調整を行うことができなかった。
【０００４】
本発明は、従来の問題を解決するためになされたもので、簡単な構造で長さの異なる蛍光ランプを取付けることができる照明器具を提供することを目的とする。
【課題を解決するための手段】
【０００５】
本発明の照明器具は、直管状の蛍光ランプと、前記蛍光ランプを着脱自在に支持する一定長さの器具本体と、前記器具本体に設けられ前記蛍光ランプの口金を電気的に接続する一対のソケットとを備えた照明器具であって、前記蛍光ランプの長さに応じて、前記ソケットにおいて前記口金が対向するソケット内側面の間隔を可変とした構成を有している。
【０００６】
この構成により、器具本体に設けられている一対のソケットの、蛍光ランプの口金に対向するソケット内側面の間隔を、器具本体の長さを変えることなく可変としたので、簡易な構造で、長さの異なる直管状の蛍光ランプを取付けることができる。
【０００７】
また、本発明の照明器具は、前記一対のソケットの少なくとも一方の前記ソケット内側面が、前記ソケット内において前記蛍光ランプの軸線方向に移動可能であり、かつ前記ソケット内側面が弾性部材により前記蛍光ランプの口金方向に付勢されている構成を有している。
【０００８】
この構成により、一対のソケットの少なくとも一方において、蛍光ランプの口金と対向するソケット内側面が、蛍光ランプの軸線方向に移動可能であるので、長さの異なる蛍光ランプを装着することができる。また、ソケット内側面が弾性部材により口金方向に付勢されているので、蛍光ランプの長さが変わっても、電気的に接続することができる。
【０００９】
さらに、本発明の照明器具は、前記一対のソケットの少なくとも一方を前記器具本体に対して着脱可能とし、前記一方のソケットの取付位置を変えて前記ソケット内側面間隔を変える構成を有している。
【００１０】
この構成により、一対のソケットの少なくとも一方を器具本体から取り外して、別の取り付け位置に取付けることができるので、一対のソケットにおいて蛍光ランプの口金に対向するソケット内側面の間隔を変えることができる。これにより、長さの異なる蛍光ランプを取付けることができる。
【００１１】
さらに、本発明の照明器具は、前記一対のソケットの少なくとも一方を前記器具本体において前記蛍光ランプの軸線方向へスライド可能として、前記ソケット内側面間隔を変える構成を有している。
【００１２】
この構成により、器具本体に設けられている一対のソケットの少なくとも一方を蛍光ランプの軸方向へスライド可能としたので、一対のソケットにおいて蛍光ランプの口金に対向するソケット内側面の間隔を変えることができる。これにより、長さの異なる蛍光ランプを取付けることができる。
【００１３】
さらに、本発明の照明器具は、前記一対のソケット内側面間隔に応じて前記蛍光ランプへの電力供給量を切替える構成を有している。
【００１４】
この構成により、一対のソケット間隔を変えて、長さの異なる蛍光ランプを装着する際には、装着する蛍光ランプに応じた電力を供給することができる。
【発明の効果】
【００１５】
本発明は、器具本体に設けられている一対のソケットの、蛍光ランプの口金に対向するソケット内側面の間隔を、器具本体の長さを変えることなく可変としたので、簡易な構造で、長さの異なる直管状の蛍光ランプを取付けることができるという効果を有する照明器具を提供することができるものである。
【発明を実施するための最良の形態】
【００１６】
以下、本発明の実施の形態の照明器具について、図面を用いて説明する。
図１は本発明の第１の実施の形態の照明器具の正面図であり、（Ａ）は両側のプランジャーが移動する場合、（Ｂ）は片側のプランジャーが移動する場合を示す、図２はソケット部分の拡大側面図である。
【００１７】
図１（Ａ）に示すように、第１実施形態にかかる照明器具１０Ａでは、器具本体１１に所定間隔で取付けられているソケット台１２上に、一対のソケット１３ａ、１３ｂが対向して取付けられており、蛍光ランプ１４が取付けられる。図２にも示すように、各ソケット１３ａ、１３ｂの内部には、円柱状のプランジャー１５が移動可能に設けられており、弾性体としてのスプリング１６によって蛍光ランプ１４方向（図２において右方向）へ付勢されている。
【００１８】
蛍光ランプ１４の口金１４ａに対向するソケット内側面であるプランジャー１５の前面１５ａには、一対のランプピン挿入穴１５ｂ、１５ｃが設けられており、各ランプピン挿入穴１５ｂ、１５ｃには蛍光ランプ１４のランプピン１４ｂが挿入されたときにランプピン１４ｂに接触する一対の端子１５ｄ、１５ｅが設けられている。ソケット１３ａ、１３ｂには、一対の端子１５ｄ、１５ｅに接触する複数対の電源端子１７ａ、１７ｂが設けられており、各々点灯装置（図示せず）に接続されて、異なる電力を供給するようになっている。
【００１９】
従って、装着する蛍光ランプ１４の長さが長い場合には、蛍光ランプ１４がスプリング１６の弾性力に抗してプランジャー１５をソケット１３ａ、１３ｂ内部に押し込むので、ランプピンは、端子１５ｄ、１５ｅを介して一対の電源端子１７ａに接触して点灯装置と導通して、長い蛍光ランプ１４用の電力が供給される。一方、蛍光ランプ１４が短い場合には、スプリング１６の弾性力によりプランジャー１５が蛍光ランプ側（図２中右側）へ移動しているので、ランプピンは、端子１５ｄ、１５ｅを介して一対の電源端子１７ｂに接触して点灯装置と導通して、短い蛍光ランプ１４用の電力が供給される。
【００２０】
以上、説明した本発明の第１実施形態にかかる照明器具１０Ａによれば、器具本体１１に設けられている一対のソケット１３ａ、１３ｂの、蛍光ランプ１４の口金１４ａに対向するプランジャー１５の前面１５ａの間隔を、器具本体１１の長さを変えることなく可変としたので、簡易な構造で、長さの異なる直管状の蛍光ランプ１４を取付けることができる。また、一対のプランジャー１５の前面１５ａの間隔を変えて、長さの異なる蛍光ランプ１４を装着する際には、プランジャー１５に位置に応じて供給電力を変えるので、装着する蛍光ランプ１４に応じた電力を供給することができる。
【００２１】
なお、図１（Ａ）においては、一対のソケット１３ａ、１３ｂに設けられている両プランジャー１５を移動可能としたが、図１（Ｂ）に示すように、いずれか一方のソケット１３ｂ（１３ａ）のプランジャー１５のみを移動可能とし、他方はソケット１３ａ（１３ｂ）に固定することもできる。
【００２２】
次に、本発明の第２実施形態について説明する。
図３（Ａ）〜（Ｄ）は第２実施形態にかかる照明器具の要部を示す斜視図である。なお、前述した第１実施形態にかかる照明器具１０Ａと共通する部位には同じ符号を付して、重複する説明を省略することとする。
【００２３】
図３に示すように、第２実施形態にかかる照明器具１０Ｂでは、一対のソケット台１２の少なくとも一方に複数個（図３においては例えば３個）のソケット取付孔１２ａ、１２ｂ、１２ｃを設けるとともに、ソケット１３ａ（１３ｂ）をソケット取付孔１２ａ〜１２ｃに対して着脱可能とした。
【００２４】
従って、長い蛍光ランプ１４を装着する場合には、図３（Ｂ）に示すように、ソケット１３ａ（１３ｂ）を最も外側のソケット取付孔１２ａに挿入する。また、蛍光ランプ１４の長さに応じて、図３（Ｃ）、（Ｄ）に示すように、ソケット１３ａ（１３ｂ）をソケット取付孔１２ｂ、１２ｃに取付けて、一対のソケット内側面であるソケット前面１３ｃの間隔を調整する。なお、各ソケット取付孔１２ａ〜１２ｃにソケット１３ａ（１３ｂ）を取付けた際に供給される電力は、蛍光ランプ１４の長さに対応して、点灯装置から供給されるようにする。
【００２５】
以上、説明した第２実施形態にかかる照明器具１０Ｂによれば、一対のソケット１３ａ、１３ｂの少なくとも一方１３ａ（１３ｂ）を、器具本体１１に取付けられているソケット台１２から取り外して、別のソケット取付孔１２ａ〜１２ｃに取付けることができるので、蛍光ランプ１４の口金１４ａに対向するソケット前面１３ｃの間隔を変えることができる。これにより、長さの異なる蛍光ランプ１４を取付けることができる。
【００２６】
次に、本発明の第３実施形態について説明する。
図４は第３実施形態にかかる照明器具の要部を示す斜視図、図５は図４中Ｖ−Ｖ位置の断面図である。なお、前述した第１および第２実施形態にかかる照明器具１０Ａ、１０Ｂと共通する部位には同じ符号を付して、重複する説明を省略することとする。
【００２７】
図４に示すように、第３実施形態にかかる照明器具１０Ｃでは、一対のソケット１３ａ、１３ｂを取付けるソケット台１８の少なくとも一方を、器具本体１１において蛍光ランプ１４の軸線方向（図４において左右方向）へスライド可能とした。
【００２８】
例えば、図４および図５に示すように、ソケット台１８を底板１８ａと縦板１８ｂによりＬ字状に形成して、底板１８ａの左右両側に張り出し部１８ｃを設ける。一方、基台本体１１の上面（図４および図５において上面）には、一対のスペーサ１９、１９を、ソケット台１８の張り出し部１８ｃより若干大きめの間隔で設ける。そして、スペーサ１９、１９の上に、張り出し部１８ｃの上面を覆いかつソケット台１８の縦板１８ｃの幅よりも若干大きめの間隔で一対の押え板２０、２０を取付ける。これにより、ソケット台１８は、器具本体１１上を蛍光ランプ１４の軸線方向へ移動可能に支持され、一対のソケット内側面であるソケット前面１３ｃの間隔を変えることができる。
【００２９】
なお、図示はしないが、ソケット台１８の位置に応じて、装着される蛍光ランプ１４の長さに対応した電力がソケット１３ａ、１３ｂに供給されるようになっている。また、スペーサ１９および押え板２０の、蛍光ランプ１４の軸方向長さ、すなわち、スライド可能長さは、装着する蛍光ランプ１４に応じて、適宜決定することができる。
【００３０】
以上、説明した第３実施形態にかかる照明器具１０Ｃによれば、一対のソケット１３ａ、１３ｂを取り付けているソケット台１８、１８の少なくとも一方を、器具本体１１に対してスライド可能に設けたので、蛍光ランプ１４の口金１４ａに対向するソケット内側面の間隔を変えることができる。これにより、長さの異なる蛍光ランプ１４を取付けることができる。
【００３１】
次に、本発明の第４実施形態について説明する。
図６（Ａ）、（Ｂ）は第４実施形態にかかる照明器具の要部を示す斜視図である。なお、前述した第１〜第３実施形態にかかる照明器具１０Ａ〜１０Ｃと共通する部位には同じ符号を付して、重複する説明を省略することとする。
【００３２】
図６（Ａ）および（Ｂ）に示すように、第４実施形態にかかる照明器具１０Ｄでは、一対のソケット１３ａ、１３ｂを取付けるソケット台２１を、底板２１ａと縦板２１ｂによりＬ字状に形成し、ソケット台２１を反転させることにより、一対の縦板２１ｂの間隔を変えることができるようにした。これにより、一対のソケット内側面であるソケット前面１３ｃの間隔を変えることができる（図６中Ａ）。なお、ソケット台２１の向きに応じて、装着される蛍光ランプ１４の長さに対応した電力がソケット１３ａ、１３ｂに供給されるようになっている。
【００３３】
以上、説明した第４実施形態にかかる照明器具１０Ｄによれば、一対のソケット１３ａ、１３ｂを取り付けているソケット台２１、２１の少なくとも一方を、反転させることにより一対の縦板２１ｂの間隔を変えるようにしたので、蛍光ランプ１４の口金１４ａに対向するソケット内側面の間隔を変えることができる。これにより、長さの異なる蛍光ランプ１４を取付けることができる。
【００３４】
なお、本発明の照明器具は、前述した各実施形態に限定されるものでなく、適宜な変形，改良等が可能である。
例えば、前述した各実施形態においては、装着される蛍光ランプ１４が１本の照明器具を例示したが、複数本の蛍光ランプ１４を用いる照明器具にも適用可能である。
【図面の簡単な説明】
【００３５】
【図１】本発明の第１の実施の形態の照明器具の正面図であり、（Ａ）は両側のプランジャーが移動する場合、（Ｂ）は片側のプランジャーが移動する場合
【図２】ソケット部分の拡大側面図
【図３】（Ａ）〜（Ｄ）は第２実施形態にかかる照明器具の要部を示す斜視図
【図４】第３実施形態にかかる照明器具の要部を示す斜視図
【図５】図４中Ｖ−Ｖ位置の断面図
【図６】（Ａ）、（Ｂ）は第４実施形態にかかる照明器具の要部を示す斜視図
【図７】従来の照明器具の斜視図
【符号の説明】
【００３６】
１０Ａ〜１０Ｄ  照明器具
１１  器具本体
１３ａ、１３ｂ  ソケット
１３ｃ  ソケット前面（ソケット内側面）
１４  蛍光ランプ
１４ａ  口金
１５ａ  プランジャー前面（ソケット内側面）
１６  スプリング（弾性部材）
【図１】
2009289456.tif 000003
【図２】
2009289456.tif 000004
【図３】
2009289456.tif 000005
【図４】
2009289456.tif 000006
【図５】
2009289456.tif 000007
【図６】
2009289456.tif 000008
【図７】
2009289456.tif 000009